Podtech/llm-jp-corpus-v4-ja_patent huggingface dataset:
(57)【要約】【課題】屈曲に強く、屈曲しても耐ノイズ性の低下や特性インピーダンスの変化を起こすことがない伝送ケーブルを提供する。【解決手段】ケーブル中心の芯材107に対してスパイラル状に巻き付けられたフレキシブルプリント基板101と、該フレキシブルプリント基板101を覆う絶縁シース104と、該絶縁シース104を覆うシールド103と、からなるシールドケーブルとする。【選択図】図１
2007149346.tif 000002
【特許請求の範囲】
【請求項１】
ケーブル中心の芯材に対してスパイラル状に巻き付けられたフレキシブルプリント基板と、
該フレキシブルプリント基板を覆う絶縁シースと、
該絶縁シースを覆うシールドと、からなるシールドケーブル。
【請求項２】
前記フレキシブルプリント基板は、２層以上の基板からなるものであって、前記フレキシブルプリント基板の長手方向に延在する第１のプリントパターンと第２のプリントパターンとが、一定の間隔毎に、前記２層以上の基板に設けられた２つのスルーホールを介して、互いに交差するよう配線されたことを特徴とする請求項１記載のシールドケーブル。
【請求項３】
前記フレキシブルプリント基板は、該フレキシブルプリント基板の長手方向に延在するプリントパターンを有する複数のフレキシブルプリント基板からなり、該複数のフレキシブルプリント基板が、前記芯材に対して、各々スパイラル状に巻き付けられていることを特徴とする請求項１記載のシールドケーブル。
【発明の詳細な説明】
【技術分野】
【０００１】
本発明は、フィールドバス等のシリアル通信に使用される伝送ケーブルであって、特に、可動部と固定部または、可動部と可動部同士を接続する場合で、耐屈曲性を要求されるケーブルの構造に関する。
【背景技術】
【０００２】
フィールドバス等のシリアル通信に使用される伝送ケーブルは、信号波形の歪を極力小さくするため、特性インピーダンスの安定性や、耐ノイズ性を要求されるが、一方、装置の小形化等から、より小径の伝送シールドケーブルが要求される。そのため、伝送シールドケーブルの芯線には、小径で、特性を実現するため、発泡絶縁材を使用している。ところが、近年その用途の拡大に伴い、可動部へのケーブルの敷設の機会も発生しており、その際、この発泡絶縁材を使用する伝送シールドケーブルは、耐屈曲性に問題があることが、指摘されている。発泡絶縁材を使用する伝送シールドケーブルには、例えば特許文献１などがある。
【特許文献１】特開２００１−１７６３３７号公報
【発明の開示】
【発明が解決しようとする課題】
【０００３】
絶縁電線を芯線とする伝送シールドケーブルでは、屈曲の繰り返しにより芯線同士またはシールド材との擦れ等により絶縁被覆の損傷が発生する。また、ツイストの場合は、屈曲により、ツイストピッチの変化や芯線間の距離の変化が発生し、耐ノイズ性の低下や特性インピーダンスの変化を招き、信号波形の歪を増加させる。
【課題を解決するための手段】
【０００４】
上記問題を解決するため、本発明は、次のように構成したのである。
請求項１に記載の発明は、ケーブル中心の芯材に対してスパイラル状に巻き付けられたフレキシブルプリント基板と、該フレキシブルプリント基板を覆う絶縁シースと、該絶縁シースを覆うシールドと、からなるシールドケーブルとするものである。
また、請求項２に記載の発明は、前記フレキシブルプリント基板は、２層以上の基板からなるものであって、前記フレキシブルプリント基板の長手方向に延在する第１のプリントパターンと第２のプリントパターンとが、一定の間隔毎に、前記２層以上の基板に設けられた２つのスルーホールを介して、互いに交差するよう配線された請求項１記載のシールドケーブルとするものである。
また、請求項３に記載の発明は、前記フレキシブルプリント基板は、該フレキシブルプリント基板の長手方向に延在するプリントパターンを有する複数のフレキシブルプリント基板からなり、該複数のフレキシブルプリント基板が、前記芯材に対して、各々スパイラル状に巻き付けられている請求項１記載のシールドケーブルとするものである。
【発明の効果】
【０００５】
屈曲による耐ノイズ性の低下を防止し、また、特性インピーダンスを安定させることができ、信号波形の歪を抑えることができる。このため、屈曲用途においても、信号伝送の信頼性を保つことができる。
【発明を実施するための最良の形態】
【０００６】
以下、本発明の実施の形態について図を参照して説明する。
【実施例１】
【０００７】
本発明の実施例による伝送シールドケーブルは、フレキシブルプリント基板をスパイラルに収納した伝送シールドケーブルであって、その両端に信号接続コネクタが取り付けられるように導電パターンが印刷されている。
図１は、この伝送シールドケーブル100の概要図である。図１で、フレキシブルプリント基板101が、シールド104と外被絶縁シース103のケーブル外装の中にスパイラル状に収納されている。フレキシブルプリント基板101の両端には、信号接続コネクタ102が接続されている。
【０００８】
伝送シールドケーブル100の中に収納されるフレキシブルプリント基板101は、図２の(a)のように、スルーホール106を使用してツイストされたプリントパターン105からなる場合と、図２の(b)のように1本のプリントパターンからなるフレキシブルプリント基板105を2枚重ねてツイストする場合がある。       
【０００９】
フレキシブルプリント基板101を、外被絶縁シース103とシールド104のケーブル外装の中にスパイラル状に収納する場合は、図３のように行う。図３は、伝送シールドケーブル100の断面を示し、中心に介在物（芯材）107を入れ、この介在物（芯材）107にスパイラル状にフレキシブルプリント基板101を巻いて製作する例を示している。
【００１０】
このように、本発明においては、従来の芯線に、フレキシブルプリント基板を使用しているので、屈曲による耐ノイズ性の低下を防止し、また、特性インピーダンスを安定させることができ、信号波形の歪を抑えることができる。このため、屈曲用途においても、信号伝送の信頼性を保つことができる。
【図面の簡単な説明】
【００１１】
【図１】本発明の実施例による伝送シールドケーブルの概要図である。
【図２】図１の芯線であるフレキシブルプリント基板の配線概念図である。
【図３】図１の伝送シールドケーブルのＡ−Ａ’  断面図である。
【符号の説明】
【００１２】
100  伝送シールドケーブル
101  フレキシブルプリント基板
102  信号接続コネクタ
103  絶縁シース
104  シールド
105  プリントパターン
106  スルーホール
107  介在物
【図１】
2007149346.tif 000003
【図２】
2007149346.tif 000004
【図３】
2007149346.tif 000005
(57)【要約】【課題】  低コストで簡単な構造によりランプレンズ面への着雪を防止し、かつ自動的に雪を振り落とすようにした自動車用ランプレンズ面の着雪防止構造を提供する。【解決手段】  自動車の外部に装備されるランプレンズ面２に透光性よりなる着雪を防止するクリアカバー３を車両走行振動により上下方向に振幅可能に、また、クリアカバー３は車両走行振動による上下方向の振幅端でランプ本体１に設けたカバースライド用リブ６と当てリブ８とに干渉させてクリアカバー３自体に衝撃力を付与するよう取り付けた。【選択図】        図１
2007149471.tif 000002
【特許請求の範囲】
【請求項１】
自動車の外部に装備されるランプレンズ面に透光性よりなる着雪を防止するクリアカバーを車両走行振動により上下方向に振幅可能に取り付けたことを特徴とする自動車用ランプレンズ面の着雪防止構造。
【請求項２】
ランプレンズ面に着雪を防止するクリアカバーは車両走行振動による上下方向の振幅端でランプ本体に設けたリブに干渉させてクリアカバー自体に衝撃力を付与するようにしたことを特徴とする請求項１に記載の自動車用ランプレンズ面の着雪防止構造。
【発明の詳細な説明】
【技術分野】
【０００１】
本発明は、ランプレンズ面への着雪を防止した自動車用ランプレンズ面の着雪防止構造に関するものである。
【背景技術】
【０００２】
例えば、リヤフォグランプは氷点下の環境においてもランプ点灯熱によってレンズ面が１℃以上となるよう設計されている。
【０００３】
しかし、吹雪時、降雪時にシャーベット状となった雪が表面張力によってレンズ面から効率良く落下しない場合もある。これを防止するためにエアダクトにより走行風をレンズ面に当てる構造も考えられているが、構造上やコスト、見栄えなどから採用し難い問題があった。
【特許文献１】実開昭６０−３４０３３公報
【特許文献２】実用新案登録第２５８６９９０公報
【特許文献３】特開平１０−１１４２５８公報
【発明の開示】
【発明が解決しようとする課題】
【０００４】
本発明は、このような問題点に鑑みて、低コストで簡単な構造によりランプレンズ面への着雪を防止し、かつ自動的に雪を振り落とすようにした自動車用ランプレンズ面の着雪防止構造を提供することを目的とする。
【課題を解決するための手段】
【０００５】
本発明は、この目的を達成するために、請求項１に記載のとおり、自動車の外部に装備されるランプレンズ面に透光性よりなる着雪を防止するカバーを車両走行振動により上下方向に振幅可能に取り付けたことを特徴とするものである。
【０００６】
請求項２に記載のとおり、上記ランプレンズ面に着雪を防止するクリアカバーは車両走行振動による上下方向の振幅端でランプ本体に設けたリブに干渉させてクリアカバー自体に衝撃力を付与するようにしたことを特徴とするものである。
【発明の効果】
【０００７】
本発明によれば、吹雪時、降雪時においてクリアカバーによりレンズ面への着雪を防止すると共に、車両走行振動によりクリアカバーを振幅させ、また、衝撃力を付与することでクリアカバーの着雪を自動的かつ効率的に落下除去しランプの被視認性を向上するという効果を有している。
【発明を実施するための最良の形態】
【０００８】
以下本発明を実施するための最良の形態について図面に基づいて説明する。図１において、１はランプ本体であり、このランプ本体１は自動車の外部に装備されるヘッドランプ、ストップランプ、リヤコンビネーションランプ、フォグランプ等である。
【０００９】
本発明は上記ランプ本体１のレンズ面２（図２参照）に透光性よりなる着雪を防止するクリアカバー３を車両走行振動により上下方向に振幅可能に取り付けたものである。また、前記クリアカバー３は車両走行振動による上下方向の振幅端でランプ本体１に設けたリブに干渉させてクリアカバー３自体に衝撃力を付与するようにしたものである。
【００１０】
上記クリアカバー３のランプ本体１への取り付け構造の具体例について図２及び図３により説明する。図２において、ランプ本体１の両側面にカバースライド用リブ６と、このカバースライド用リブ６の下方に間隔Ｓをおいて当てリブ８とを設けている。前記カバースライド用リブ６と当てリブ８との間隔Ｓは約３ｍｍ程度が適当である。
【００１１】
図３は着雪防止カバー３である。この着雪防止カバー３の材質は、透光性、耐熱性、耐衝撃性を考慮して、例えば、ポリカーボネイト樹脂が用いられる。
【００１２】
前記クリアカバー３は、その両側に装着用枠４が設けられている。この装着用枠４は前記カバースライド用リブ６の上下方向の長さより長い矩形穴４ａが設けられており、矩形穴４ａの上部中央にバネ止め軸５が突設されている。
【００１３】
上記のクリアカバー３は、図１で示すように、装着用枠４の矩形穴４ａをランプ本体１の両側面に設けられているカバースライド用リブ６に嵌め込み、カバースライド用リブ６の上端と矩形穴４ａの上端との間にバネ７を介装してクリアカバー３を常に上方に押し上げようにしている。前記カバースライド用リブ６の上端と装着用枠４の矩形穴４ａの上端との間に介装したバネ７は装着用枠４側では矩形穴４ａの上部中央にバネ受け軸５が嵌り込み、カバースライド用リブ６側では図略しているが、カバースライド用リブ６の上端の中央に突設したバネ受け軸が嵌り込んでバネ７を位置決め保持している。
【００１４】
本発明は上記の通りの構造であるから、吹雪時、降雪時において、ランプ本体１のレンズ面２はクリアカバー３によって着雪が防止されランプの被視認性を向上する。
【００１５】
前記ランプ本体１のレンズ面２に取り付けられたクリアカバー３はランプ本体１に対し装着用枠４の矩形穴４ａとカバースライド用リブ６及びバネ７とによって上下方向に振幅案内され、かつ上下方向の振幅端では装着用枠４がバネ７の弾力により定位置に戻る際、カバースライド用リブ６と当てリブ８とに干渉してクリアカバー３自体に衝撃力を付与する。
【００１６】
従って、クリアカバー３は車両走行振動による上下方向の振幅動によりクリアカバー３に付着した雪を落下除去する。また、クリアカバー３の振幅端では装着用枠４がカバースライド用リブ６と当てリブ８とに干渉してクリアカバー３自体に衝撃力が付与されるため、前記振幅動と衝撃力との相乗作用によりクリアカバー３の着雪を自動的かつ効率的に落下除去することができる。
【図面の簡単な説明】
【００１７】
【図１】本発明を装備した自動車用ランプの斜視図
【図２】本発明を装備可能にした自動車用ランプの斜視図
【図３】クリアカバーの斜視図
【符号の説明】
【００１８】
１    ランプ本体
２    レンズ面
３    クリアカバー
４    装着用枠
４ａ  矩形穴
５    バネ止め軸
６    カバースライド用リブ
７    バネ
８    当てリブ
【図１】
2007149471.tif 000003
【図２】
2007149471.tif 000004
【図３】
2007149471.tif 000005
(57)【要約】【課題】  落雷は、自然状態では、天地間の誘電状態が臨界に達すると、無作為に落雷していた。それをある高い確率で、目標とする落雷針に誘導落雷させる。【解決手段】  天地間の誘電状態が臨界に達したとき、落雷の目標とする落雷針に、放電針から、微弱な人工落雷（放電）を印加し、誘導落雷させる。【選択図】図１
2007149622.tif 000002
【特許請求の範囲】
【請求項１】
（１）誘導落雷を行うとき、予め、避雷針に当たる落雷針に、弱い人工落雷（放電）を印加することにより、落雷を誘導すると言う誘導落雷方法、及び、それを用いた装置について。
【発明の詳細な説明】
【技術分野】
【０００１】  自然に発生する落雷を、高い確率で、目標とする落雷針に誘導落雷させる。
【背景技術】
【０００２】  落雷は、天地間の誘電状態が臨界に達したとき、天地間に、無作為に放電される。
【発明の開示】
【発明が解決しようとする課題】
【０００３】  落雷は、自然状態では、無作為に落雷する。それを高い確率で、目標とする落雷針に誘導落雷させる。
【課題を解決するための手段】
【０００４】  予め、避雷針に当たる落雷針に、弱い人工落雷を印加することにより、落雷を誘導する。
【発明の効果】
【０００５】  本発明によれば、無作為に落雷するために、そのエネルギーを利用できなかった問題点を改善でき、ある高い確率で、誘導落雷できるので、落雷の電気エネルギーを利用することができるようになる。
【発明を実施するための最良の形態】
【０００６】  天地間の誘電状態が臨界に達したとき、落雷針に、放電針から、微弱電流の人工落雷（放電）を印加し、目標とする落雷針に誘導落雷させる。
【産業上の利用可能性】
【０００７】  落雷針とアースの間に、発電設備や、水素ガス発生装置を配置し、落雷の瞬間的莫大な電気エネルギーを、使用可能なエネルギー状態に変換し、エネルギー源として活用する。
【図面の簡単な説明】
【０００８】
【図１】  本考案による実施例
【符号の説明】
【０００９】  （１）落雷針（避雷針）、（２）放電針、（３）発電装置、又は、水素ガス発生装置
（４）スイッチ、（５）高電圧印加電源、（６）アース、（７）電線
【図１】
2007149622.tif 000003
(57)【要約】【課題】従来の家庭用の常夜灯のほとんどは、商用電源につながれたものである。天井に取り付けた電灯に固定されて使用しているため、必ずしも最適の場所でないこともある。【解決手段】高輝度の発光ダイオード（１）で必要最低限の照度設定用調整器（５）を設け、電池でも長時間使用できる携帯型の常夜灯とした。最適の場所に設置し、必要に応じ多少明るくすることもできる。電池使用のため、バッテーチェッカー（２）も消費電流を無駄にしない回路とした。【選択図】図２
2007149624.tif 000002
【特許請求の範囲】
【請求項１】
照度を必要最低限にプリセットできる調整器を設け、電池でも長時間使用できるようにすることにより携帯型であることを特徴とする常夜灯。
【請求項２】
発光ダイオードの光り始めの順方向電圧を利用した、消費電流を無駄にしないバッテリーチェッカーを有することを特徴とする請求項１記載の常夜灯。
【請求項３】
また携帯であるため手元に置けば、必要により明るく調整することも可能であることを特徴とする請求項１記載の常夜灯。
【発明の詳細な説明】
【技術分野】
【０００１】  この発明は、暗闇をほのかに照らす常夜灯に関するものである。
【背景技術】
【０００２】  従来の家庭用の常夜灯は、ほどんどが商用電源つながれたものである。
【発明の開示】
【発明が解決しようとする課題】
【０００３】  しかしながら、以上の技術によれば、天井に吊るされた電灯に固定されて使用しているため、必ずしも最適の場所ではないこともある。【０００４】  そこで、この発明は、好みの場所に置ける携帯型とするため、高輝度の発光ダイオードを利用して電池でも長時間使用できることと、必要な時は明るさを多少明るくできるようにした常夜灯を提供することを課題とする。
【課題を解決するための手段】
【０００５】  以上の課題を解決するために、第一発明は、必要最低限の照度設定を設け、電池でも長時間の使用が可能となり携帯できることを特徴とする常夜灯である。【０００６】  手元に置くこともできることから必要な時は照度を上げ、簡単に必要最低限の明るさに戻せることを特徴とする常夜灯である。【０００７】  また、第二発明は、発光ダイオードの光り始めの順方向電圧を利用して、消費電流を無駄にしない回路とした簡易な電圧チェッカーにより、電池の状態を把握できることを特徴とする常夜灯である。
【発明の効果】
【０００８】  第一発明、または第二発明によれば、携帯型の常夜灯にできるため、１台で必要な個所で利用できる。【０００９】  電池使用のため、夜間の地震などで停電時の初動対応に役立つ。【００１０】  防水構造とすれば屋外でも利用できる。
【発明を実施するための最良の形態】
【００１１】  この発明の一実施形態を、図１に示す。
照明用発光ダイオード（１）は点光源であるため、収容するケース（７）は半透明の容器とし、光が拡散するようにしている。【００１２】  ケースの前面にはスイッチ付可変抵抗器（３、４）を取り付け、電源の入り切りと明るさが多少調整できる。【００１３】  もう一つの発光ダイオード（２）は、発光ダイオードの光り始めの順方向電圧が適当なものを選定することにより、バッテリーチェッカーとして機能する。【００１４】  電池（６）は充電式を使用すれば、より経済的な利用ができる。【００１５】「実施形態の効果」
この実施形態によれば、図２のスイッチ（４）を入りにした直後の可変抵抗器（３）の位置で、最低照度が得られる様にケースの中の半固定抵抗器（５）により設定している。この状態で最も長時間使用できる。【００１６】「他の実施形態」
この実施形態では、スイッチ付可変抵抗器（３，４）を入りにして、さらに回して行けば、明るさを多少明るくできるので必要に応じて調整し、その必要がなくなった時に最低照度の位置に戻せば良い。
【図面の簡単な説明】
【００１７】
【図１】この発明の一実施形態を示す斜視図である。
【図２】この発明の一実施形態示す回路図である。
【図３】従来技術の例を示す斜視図である。
【符号の説明】
【００１８】    １  照明用発光ダイオード
２  バッテリーチェック用発光ダイオード
３、４  スイッチ付可変抵抗器（電源の入り切りと調光用）
５  半固定抵抗器（必要最低限の照度設定用）
６  電池
７  収容ケース
８  従来の常夜灯ランプ
９  天井吊り下げ型照明器具本体の例
【図１】
2007149624.tif 000003
【図２】
2007149624.tif 000004
【図３】
2007149624.tif 000005
【手続補正書】
【提出日】平成18年2月17日(2006.2.17)
【手続補正１】
【補正対象書類名】図面
【補正対象項目名】図２
【補正方法】変更
【補正の内容】
【図２】
2007149624.tif 000006
(57)【要約】【課題】誰から招待状をもらうかで、招待状を受け取った人の「できること」に自動的に制限をかけるＳＮＳ、ＣＭＳ、コミュニティサイト、もしくはゲーム内ＳＮＳを提供する。【解決手段】誰から招待状をもらうかによって、招待状を受け取った人ができることに、自動的に制限をかけることを特徴とする。【特許請求の範囲】
【請求項１】
誰から招待状をもらうのか、
あるいはどのランクの、
あるいはどのクラスの人から招待状を
もらうのかによって、招待されて入ってきた人の「できること」
のレベルが自動的に決定される、
ＳＮＳ（ソーシャル・ネットワーキング・システム）
またはＣＭＳ（コンテンツ・マネージメント・システム）
またはコミュニティサイト
またはゲーム内ＳＮＳ。
【発明の詳細な説明】
【技術分野】
【０００１】この発明は、受け取る招待状のランクによって、招待状を受け取って
入会してくる人のできることの範囲が自動的に決まるという、
ＳＮＳ（ソーシャル・ネットワーキング・システム）、または
ＣＭＳ（コンテンツ・マネージメント・システム）
またはコミュニティサイト
またはゲーム内ＳＮＳに関するものである。
【背景技術】
【０００２】従来、どの人から招待状を受け取っても、
入ってくる人のできることは
みな同一であった。
【発明の開示】
【発明が解決しようとする課題】
【０００３】これは、次のような欠点があった。
（１）２ちゃんねる等の「ｍｉｘｉの招待状を送ります」
等のスレッドで招待状を受け取って入会してきた
悪意のある者が、一日のうちに、１００人以上もの人に招待状を
送りまくって、質の低い人を大量にコミュニティに
流入させている。こういう人は、ｍｉｘｉ等に敵意を持っていて、
最初から、ｍｉｘｉ等のＳＮＳコミュニティを破壊する目的で
入ってくるわけである。
（２）また、著作権法で守られた、ＳＮＳ内に置かれた
個人の私的な日記や、写真等を、正当な著作権者の
承諾も許可も無しに、勝手に２ちゃんねる等にコピペ
したり、流出させたりしている。（著作権法違反）
（３）また、ストーカーや精神異常者等が
勝手にコミュニティや掲示板に入ってきて、
気持ちの悪いコメントをつけたりして
コミュニティの運営を妨害することもある。
（４）管理人が、直接、ユーザー一人一人に対して、
「できること」の制限を設定して回る、という対応方法は
現在でもあるが、ユーザーの数が３００人くらいまでなら
この方法で対応できても、ユーザーの数が多くなりすぎると、
「できること」の制限を、管理人等が手動で設定して回る、
という方法は時間がかかりすぎて機能しない。
（５）また、フリーメール等を使って、一人で
複数のアカウントを取得して、自作自演を
する者もいる（複アカ問題）
（６）本発明は、このような不便さを
なくすためになされたものである。
【課題を解決するための手段】
【０００４】誰から招待状をもらうのか、
あるいは、どのランクの人から、
あるいはどのクラスの人から招待状をもらうのか、
またはもらったのか、ということを識別、記録しておき、
招待状を送ってくれた人の所属するクラスやランクによって、
招待状をもらった人の、「できること」の制限を自動的に設定する。
【発明の効果】
【０００５】（１）ランクの低い人から招待状を受け取って
入会してきた人は、一日に送れる招待状の数も制限されているので、
質の低いユーザーが大量に増殖することが防げる。
（２）また、誰から招待状をもらうか、で
ＳＮＳ（ソーシャル・ネットワーキング・システム）内、
もしくはＣＭＳ（コンテンツ・マネージメント・システム）内、
もしくはコミュニティサイト内またはゲーム内ＳＮＳの、
どのコンテンツ、すなわち、日記、文章、
写真、動画、画像、プログラム、等のうち、
どれを見せて、どれを見せないか、という、
「ユーザーのできること」の制限を自動的に設定する。
（３）また、どのコミュニティに参加できて、
どのコミュニティに参加できないのか、という設定も
自動で行う。
（４）また、どのコミュニティや掲示板にコメントをつけたり、
書き込みができるのか、あるいはできないのか、という設定も、
誰から招待状をもらうか、
あるいはどのランクの人から招待状をもらうか
によって、自動的に設定する。
【発明を実施するための最良の形態】
【０００６】たとえば、
ＳＮＳ（ソーシャル・ネットワーキング・システム）で自分が起点の場合、
自分をＡクラス、
自分（Ａ）から直接招待状をもらって加入した者はＢクラス、
Ｂから招待状をもらって入ってきたものはＣクラス、として、
Ａは無制限に招待状を送れる。
Ｂが送れるのは一日に一通。
Ｃは一週間に一通。
として、ランクの低いユーザーが
１００人以上に招待状を送りまくったりするのを防ぐ。
本発明は、以上の構成よりなる、誰から、あるいは、
どのランクの人から招待状をもらうかで、新規入会者の
「できること」に制限をかけた、
ＳＮＳ（ソーシャル・ネットワーキング・システム）
またはＣＭＳ（コンテンツ・マネージメント・システム）
またはコミュニティサイト
またはゲーム内ＳＮＳである。
(57)【要約】【課題】    ネジはその構造上振動やその他の条件で使っているうちにどうしても緩んでしまう欠点があった。  特に最後まで締めこまずに任意の場所で止めてその場所で緩まないようにしたものはなかった。【解決手段】    雄ネジの上部に緩み止め（３）が付いておりこの足（４）の部分が雌ネジの溝（５）の部分を押し込むようになっている緩み止め付きネジである。【選択図】  図２
2007057087.tif 000002
【特許請求の範囲】
【請求項１】
ネジの上部もしくは下部に緩み止めを取り付けた緩み止め付きネジ。
【発明の詳細な説明】
【技術分野】
【００１】      本発明は緩み止め付きネジに関するものである。
【技術背景】
【００２】      従来ネジには緩み止めの付いたものはあったが完全に動きを止めてしまう物であって任意の場所で止めることが出来てなおかつその場所で緩まないようにしたものはなかった。
【発明の開示】
【発明が解決しようとする課題】
【００３】      ネジはその構造上振動やその他の条件で使っているうちにどうしても緩んでしまう欠点があった。  特に最後まで締めこまずに任意の場所で止めてその場所で緩まないようにしたものはなかった。
【課題を解決するための手段】
【００４】      雄ネジ本体（１）の上部に緩み止め（３）が付いておりこの足（４）の部分で雌ネジの溝（５）の部分を押し込むようになっている緩み止め付きネジである。
【発明の効果】
【００５】      雄ネジ本体（１）の上部に付いている緩み止めの足（４）で雌ネジ本体（６）のネジ溝（５）をしっかりと押さえるため緩みにくい構造になっている。このためにネジは任意の場所でしっかりと固定されてなおかつ緩みにくくなっている。  またこの緩み止めは上部だけでなく下部に取り付けてもかまわない。
【発明を実施するための最良の形態】
【００６】  以下、本発明の実施の形態について説明する。
（イ）  雄ネジの上に緩み止めをつけるために円形状の立ち上がり（２）をつける。
（ロ）  その立ち上がり部分（２）に緩み止め（３）を取り付けてかしめる。
【図面の簡単な説明】
【００７】
【図１】本発明のばらした図（雄ネジ）
【図２】本発明の立体図
【図３】本発明のネジが止まっているときの断面図
【符号の説明】
【００８】    １  雄ネジ本体
２  円形状の立ち上がり
３  緩み止め
４  緩み止めの足
５  雌ネジの溝
６  雌ネジ本体
【図１】
2007057087.tif 000003
【図２】
2007057087.tif 000004
【図３】
2007057087.tif 000005
(57)【要約】【課題】  ガラス繊維配合量が２０ｗｔ％以上であっても、良好な組込み性を維持すること。【解決手段】  保持器１は、小径側円環部２と、大径側円環部３と、これら両円環部２，３を連結する柱部４と、小径側円環部２の内面、大径側円環部３の内面、及び２つの柱部４，４の内面により形成した円錐ころのポケット部５と、から構成してある。小径側円環部２の外径面であって、柱部４，４の間にあたる箇所に、略円弧状凹部１０が形成してある。この略円弧状凹部１０は、組込みの際に円周方向に弾性変形によって広げられる小径側円環部２の外径面に施したＲ形状の抜きである。【選択図】  図１
2007057045.tif 000002
【特許請求の範囲】
【請求項１】
合成樹脂により成形してあり、小径側円環部と、大径側円環部と、これら両円環部を連結する柱部と、小径側円環部の内面、大径側円環部の内面、及び２つの柱部の内面により形成した円錐ころのポケット部と、からなる円錐ころ軸受用合成樹脂製保持器に於いて、
前記小径側円環部の外径面に、略円弧状凹部が形成してあることを特徴とする円錐ころ軸受用合成樹脂製保持器。
【発明の詳細な説明】
【技術分野】
【０００１】
本発明は、比較的高い保持器の強度と寸法安定性を必要とする円錐ころ軸受用合成樹脂製保持器に関する。
【背景技術】
【０００２】
従来、円錐ころ軸受用合成樹脂製保持器としては、特許文献１には、円錐ころ軸受用合成樹脂製保持器におけるガラス繊維の配合量に対する内輪の組込み成功率が示されている。
【０００３】
その構成は、図３に示すような保持器の形態であり、そのガラス繊維の配合量が２０ｗｔ％までは、良好な組込み性を示す。
【０００４】
図３は、従来例に係る円錐ころ軸受用合成樹脂製保持器の斜視図である。
【０００５】
保持器１は、合成樹脂により成形してあり、小径側円環部２と、大径側円環部３と、これら両円環部２，３を連結する柱部４と、小径側円環部２の内面、大径側円環部３の内面、及び２つの柱部４，４の内面により形成した円錐ころのポケット部５と、から構成してある。
【０００６】
また、特許文献２の開示では、合成樹脂製保持器は、ポリアミド６、ポリアミド６６、ポリアミド４６、ポリフェニレンサルファイド、ポリエーテル・エーテルケトン等の熱可塑性合成樹脂を母材とし、強度向上及び寸法安定化の為に、ガラス繊維を１０〜４０重量％程度添加したものを、射出成形により一体成形して成る。但し、用途により、合成樹脂製保持器に更なる強度向上と耐摩耗性を要求する場合には、カーボン繊維を１５〜３０％添加しても良い。
【特許文献１】特開２００１−３１７５５４号公報（図１３、図１４）
【特許文献２】特開２００５−６１４８３号公報（段落番号［００１８］の記載）
【発明の開示】
【発明が解決しようとする課題】
【０００７】
しかしながら、強度向上及び寸法安定化の為に、ガラス繊維配合量を２０ｗｔ％以上とした場合には、その組込み性が低下し、最悪の場合には、保持器の破損を引き起こすといった問題がある。
【０００８】
本発明は、上述したような事情に鑑みてなされたものであって、そのガラス繊維配合量が２０ｗｔ％以上であっても、良好な組込み性を維持することができる、円錐ころ軸受用合成樹脂製保持器を提供することを目的とする。
【課題を解決するための手段】
【０００９】
上記の目的を達成するため、本発明に係る円錐ころ軸受用合成樹脂製保持器は、合成樹脂により成形してあり、小径側円環部と、大径側円環部と、これら両円環部を連結する柱部と、小径側円環部の内面、大径側円環部の内面、及び２つの柱部の内面により形成した円錐ころのポケット部と、からなる円錐ころ軸受用合成樹脂製保持器に於いて、
前記小径側円環部の外径面に、略円弧状凹部が形成してあることを特徴とする。
【発明の効果】
【００１０】
本発明によれば、そのガラス繊維配合量が２０ｗｔ％以上であっても、良好な組込み性を維持することができる。
【発明を実施するための最良の形態】
【００１１】
以下、本発明の実施の形態に係る円錐ころ軸受用合成樹脂製保持器を図面を参照しつつ説明する。
【００１２】
図１は、本発明の実施の形態に係る円錐ころ軸受用合成樹脂製保持器の斜視図である。
【００１３】
図２（ａ）は、本発明の実施の形態に係る円錐ころ軸受用合成樹脂製保持器の部分的斜視図であり、（ｂ）は、従来例に係る円錐ころ軸受用合成樹脂製保持器の部分的斜視図である。
【００１４】
保持器１は、合成樹脂により成形してあり、そのガラス繊維配合量が少なくとも２０ｗｔ％以上である。
【００１５】
保持器１は、小径側円環部２と、大径側円環部３と、これら両円環部２，３を連結する柱部４と、小径側円環部２の内面、大径側円環部３の内面、及び２つの柱部４，４の内面により形成した円錐ころのポケット部５と、から構成してある。
【００１６】
さて、本実施の形態では、小径側円環部２の外径面であって、柱部４，４の間にあたる箇所に、略円弧状凹部１０が形成してある。
【００１７】
この略円弧状凹部１０は、組込みの際に円周方向に弾性変形によって広げられる小径側円環部２の外径面に施したＲ形状の抜きである。
【００１８】
このような略円弧状凹部１０（Ｒ形状の抜き）を設けることによって、小径側円環部２と柱部４を連結する小径側隅Ｒ部（図２の符号Ａ）に発生する応力集中を低減することができ、したがって、そのガラス繊維配合量が２０ｗｔ％以上であっても、良好な組込み性を維持することができる。
【００１９】
すなわち、本実施の形態では、小径側円環部２の剛性を下げて、その弾性変形を容易にしている。
【００２０】
以上から、全体の剛性バランスが良くなり、組込み時の変形によって発生する応力集中を低減できる効果を有する。
【００２１】
また、応力集中の低減は、使用中の振動による保持器１の破損防止に対しても効果的である。
【００２２】
さらに、小径側円環部２の外径面に略円弧状凹部１０（Ｒ形状の抜き）が形成してある場合、表１のＦＥＭ解析結果に示すように、発生応力を比較すると、柱部４の同じ位置に、同じ荷重を負荷させた場合、発生応力は、小さくなる傾向にあり、このことは、組込み性の向上に効果がある。
【００２３】
【表１】
2007057045.tif 000003
なお、表１は、小径側円環部２と柱部４とを連結する小径側隅Ｒ部（図２の符号Ａ）に発生する応力を比較したものであり、参考のため、大径側隅Ｒ部の応力も示す。
【００２４】
また、表１では、一定荷重を柱部４に作用させた場合の応力比で、従来例形状の小径側を１とした。
【００２５】
なお、本発明は、上述した実施の形態に限定されず、種々変形可能である。
【図面の簡単な説明】
【００２６】
【図１】本発明の実施の形態に係る円錐ころ軸受用合成樹脂製保持器の斜視図である。
【図２】（ａ）は、本発明の実施の形態に係る円錐ころ軸受用合成樹脂製保持器の部分的斜視図であり、（ｂ）は、従来例に係る円錐ころ軸受用合成樹脂製保持器の部分的斜視図である。
【図３】従来例に係る円錐ころ軸受用合成樹脂製保持器の斜視図である。
【符号の説明】
【００２７】
１  保持器
２  小径側円環部
３  大径側円環部
４  柱部
５  ポケット部
１０  略円弧状凹部
【図１】
2007057045.tif 000004
【図２】
2007057045.tif 000005
【図３】
2007057045.tif 000006
(57)【要約】【課題】  所望する室ごと別々に、しかも後付も可能で、且つ安価に提供できる給気加温装置を提供する。【解決手段】  建物の壁２に給気穴３を形成する。この給気穴３に加温手段１０を配置する。これにより給気を加温して、室内に吹出させる。加温手段１０は給気穴３内に挿入することで良く、装着は容易である。【選択図】        図１
2007057121.tif 000002
【特許請求の範囲】
【請求項１】
室内に外気を導入するため壁に形成の給気穴と、この給気穴内に収納される加温手段とより成り、前記加温手段により給気を温めるようにしたことを特徴とする給気加温装置。
【請求項２】
前記加温手段は、電気ヒータであることを特徴とする請求項１記載の給気加温装置。
【請求項３】
前記加温手段は、ペルチェ素子であることを特徴とする請求項１記載の給気加温装置。
【請求項４】
前記加温手段には、加温制御装置、過熱防止装置、外気温度検出装置、過電流防止装置を備えていることを特徴とする請求項１，２又は３記載の給気加温装置。
【請求項５】
前記給気穴は筒体より構成されることを特徴とする請求項１記載の給気加温装置。
【請求項６】
前記給気穴にはフィルタが配されていることを特徴とする請求項１又は５記載の給気加温装置。
【発明の詳細な説明】
【技術分野】
【０００１】
この発明は、住宅の給気穴から導入の給気を加温する給気加温装置に関する。
【背景技術】
【０００２】
強制排気、自然給気システムが採用された住宅において、給気は壁に形成の給気穴を通して給気されるものが多い。給気穴を介して導入される給気は、外気温度と同等であり、冬期、特に北海道などの寒冷地では、外気温度と室内温度との差が大きく、給気口からの下降冷気により居住者は不快を感じていた。
【０００３】
そこで、その対策として、特許文献１に示すような発明が提案された。１つの外気取り入れダクト１６から外気を導入し、この外気を給気加温装置１２内の温水ヒータ１８にて加温し、それから各室に別々の給気ダクト２０を配管し供給していた。
【特許文献１】特開２００４−６０９０９
【発明の開示】
【発明が解決しようとする課題】
【０００４】
前述の特許文献１に示すような公知の装置は、建物の建設時でないと設置できず、後付は不可能であるとともに、高価となっていた。
【０００５】
そこで、この発明は、必要な室ごと別々に、しかも後付も可能で、且つ安価に提供できる給気加温装置を提供することにある。
【課題を解決するための手段】
【０００６】
この発明に係る給気加温装置は、室内に外気を導入するため壁に形成の給気穴と、この給気穴内に収納される加温手段とよりなり、前記加温手段により給気を温めるようにしたことにある（請求項１）。これにより、給気穴を介して導入の給気を該給気穴内に挿入された加温手段の発熱により加温でき、室温と温度差が少なくなって、不快感を与えることが無くなると共に、所望する室ごとに設置でき且つ加温手段を各々の給気穴に挿入するだけで良く、容易な装着と装置が安価である利点を持っている。
【０００７】
また、前記加温手段には電気ヒータが採用され（請求項２）、加温のために給気穴に挿入することが出来るようになった。また加温手段をペルチェ素子にしても良い（請求項３）。
【０００８】
前記した加熱手段には、加温制御装置、過熱防止装置、外気温度検出装置、過電流防止装置を備えて（請求項４）、安全性を向上のみならず外気温度が所定温度より高い場合に働かせず、無駄な電力の消費を抑えている。
【０００９】
前記給気穴は、筒体より構成されている（請求項５）。これは、給気穴が独立して形成できない場合には、筒体を用いて給気穴を作り出している。前記給気穴にはフィルタが配され（請求項６）、室内にゴミの侵入を防いでいる。
【発明の効果】
【００１０】
以上のように、この発明によれば、給気穴を介して導入の給気を該給気穴内の加温手段の発熱により加温でき、冬期に室温と温度差を少なくできて、不快感を与えることを防ぐことができる。また、加温手段を必要とする室の給気穴内に挿入すれば良く、所望する室ごとに設置できる。さらに、加温手段の給気穴への設置は、きわめて容易である。さらにまた、装置が安価である利点を有している。
【００１１】
加温手段として電気ヒータが採用され、またペルチェ素子を採用することもできる。前記加温手段には、サーモスタット、温度ヒューズ、外気温度センサー、電流ヒューズが備えられ、安全性を向上させている。
【００１２】
前記給気穴は、筒体により構成しても良く、給気穴にはフィルタが配され、ゴミの侵入や付着を防いでいる。
【発明を実施するための最良の形態】
【００１３】
以下、この発明の実施例を図面にもとづいて説明する。
【実施例１】
【００１４】
図１および図２において、建物１の壁２に給気穴３が形成され、該給気穴３はその一例として合成樹脂製の筒体４により形成されている。この筒体４の室外は、吸入口６が設けられ、また室内は、給気グリル７が取付られている。前記筒体４の中程即ち給気穴３の中程に給気を加温する加温手段となる加温ヒータ１０が挿入されている。
【００１５】
加温ヒータ１０は、いわゆるＰＴＣヒータで、その一方に放熱板１１を有し、電流が流されて抵抗発熱するもので、発熱は放熱板１１に伝わり、給気穴３を流れる給気を加温する。この加温ヒータ１０の制御回路は、図３に示すように、温度を所定値例えば７０度に保つサーモスタット（加温制御装置）１２、温度ヒューズ（過熱防止装置）（１００度）１３、電流ヒューズ（過電流防止装置）（２Ａ）１４、外気が所定温度より低い場合に働かせる外気温度センサー（外気温度検出装置）（５度）１７が直列に接続されている。１５は電源プラグである。１６は前記加温ヒータ１０の給入口側に設けられているフィルタである。
【００１６】
上述の構成において、加温ヒータ１０を筒体４内に挿入し、電源を投入すると、外気温度センサー１７で外気温度が所定温度より低下したと判定した場合に加温ヒータ１０が発熱し、放熱板１１を温める。そして、この放熱板１１を通過する給気が温められて、給気グリル７より室内に吹出される。このため、冬期にあって、室内温度の差が縮まり、給気グリル７から給気による不快感を防ぐことができる。
【００１７】
なお、この実施例では、建物の建築時のみならず、既設の給気穴にも設置が可能であり、またコンクリート建築物では、給気穴を形成することができれば、樹脂製の筒体４を設けるには及ばない。さらに、前記加温ヒータ１０として、公知の熱源の採用が可能であり、例えばペルチェ素子を採用することもできる。その場合には、夏期に給気の除湿を図ることができる。
【図面の簡単な説明】
【００１８】
【図１】この発明の実施例１の断面図である。
【図２】同上において、切断方向を異にする断面図である。
【図３】この発明の電気回路図である。
【符号の説明】
【００１９】
１  建物
２  壁
３  給気穴
４  筒体
６  吸入口
７  給気グリル
１０  加温ヒータ
１１  放熱板
１２  サーモスタット
１３  温度ヒューズ
１４  電流ヒューズ
１５  電源プラグ
１６  フィルタ
１７  外気温度センサー
【図１】
2007057121.tif 000003
【図２】
2007057121.tif 000004
【図３】
2007057121.tif 000005
(57)【要約】【課題】着霜などによる蒸発器の吸入圧力低下に伴う加熱能力の低下の際、蒸発器の出口に設置された温度検知手段では加熱能力の低下が正確に検知することが難しいという課題があった。【解決手段】蒸発器の入口に設置された温度検出手段を用いることで、加熱能力の低下を検知する精度を向上させ、霜の成長による機能不全を防止することができる。【選択図】図３
2007057148.tif 000002
【特許請求の範囲】
【請求項１】
圧縮機、給湯用熱交換器、膨張弁、および蒸発器を配管で接続したヒートポンプ回路と、貯湯槽、流体循環ポンプ、前記給湯用熱交換器を配管で接続した循環回路を有したヒートポンプ給湯装置であって、前記蒸発器の入口に設置された温度検知手段より除霜運転の開始条件を判定し、前記流体循環ポンプの流量を低下させた後、前記膨張弁の開度を開くことを特徴とするヒートポンプ給湯装置。
【請求項２】
除霜運転開始後、前記蒸発器の出口に設置された温度検知手段により除霜運転の終了条件を判定し、除霜運転を終了することを特徴とする請求項１記載のヒートポンプ給湯装置。
【発明の詳細な説明】
【技術分野】
【０００１】
本発明は、圧縮機、給湯用熱交換器、膨張弁、及び蒸発器を配管で接続したヒートポンプ回路と貯湯槽、流体循環ポンプを配管で接続した流体回路を有したヒートポンプ給湯装置の除霜運転に関する。
【背景技術】
【０００２】
従来の技術では、蒸発器の温度を検出するためのセンサが二つ設置されている場合、通常は蒸発器の出口に設置された温度検知手段を用いて除霜運転開始の判定を行い、除霜運転を開始する。除霜運転開始後も蒸発器の出口に設置された温度検知手段を用いて除霜運転の終了判定を行うことが提案されている（例えば、特許文献1参照）。
【特許文献１】特開２００５−１４７６０９号公報
【発明の開示】
【発明が解決しようとする課題】
【０００３】
しかしながら、前記従来の構成では、着霜などによる蒸発器の吸入圧力低下に伴う加熱能力の低下の際、ガス不足や蒸発器のパスバランスが崩れた際に蒸発器の出口に設置された温度検知手段では加熱能力の低下を正確に検知することが難しいという課題があった。本発明は、上記従来の課題を解決するもので、蒸発器の入口に設置した温度検知手段を用いて、加熱能力の低下を正確に検知することを目的とする。
【課題を解決するための手段】
【０００４】
前記従来の課題を解決するために、本発明のヒートポンプ式給湯装置は、圧縮機、給湯用熱交換器、膨張弁、および蒸発器を配管で接続したヒートポンプ回路と、貯湯槽、流体循環ポンプ、給湯用熱交換器を配管で接続した循環回路を有したヒートポンプ給湯装置であって、蒸発器の入口に設置された温度検知手段を用いて除霜運転の開始条件を判定し、流体循環ポンプの流量を低下させた後、膨張弁の開度を開くものである。
【０００５】
また、除霜運転開始後、蒸発器の出口に設置された温度検知手段を用いて除霜運転の終了条件を判定し、除霜運転を終了するものである。
【発明の効果】
【０００６】
本発明のヒートポンプ式給湯装置は、除霜運転開始する条件判定に蒸発器の入口に設置された温度検知手段を用いることにより、加熱能力の低下を検知する精度を向上させ、霜の成長による機能不全を防止することができる。また、除霜運転の終了判定を蒸発器の出口に設置された温度検知手段を用いることにより、着霜状態を検知する精度を向上させ機能回復を円滑に行うことができる。
【発明を実施するための最良の形態】
【０００７】
第１の発明は、圧縮機、給湯用熱交換器、膨張弁、および蒸発器を配管で接続したヒートポンプ回路と、貯湯槽、流体循環ポンプ、給湯用熱交換器を配管で接続した循環回路を有したヒートポンプ給湯装置であって、蒸発器の入口に設置された温度検知手段を用いて除霜運転の開始条件を判定し、流体循環ポンプの流量を低下させた後、膨張弁の開度を開くことにより、加熱能力の低下を検知する精度を向上させ、霜の成長による機能不全を防止することが可能となる。
【０００８】
第２の発明は、第１の発明の判定方法により開始した除霜運転開始後、蒸発器の出口に設置された温度検知手段を用いて除霜運転の終了条件を判定し、除霜運転を終了すること
により、着霜状態を検知する精度を向上させ、機能回復を円滑に行うことが可能となる。
【０００９】
（実施の形態１）
図１〜３は本発明の実施の形態１におけるヒートポンプ給湯装置と運転制御を示したものである。
【００１０】
図１は、インバータ式圧縮機１１、給湯用熱交換器１２、減圧装置１３、蒸発器１４を冷媒配管１５により環状に接続して構成されたヒートポンプサイクルと、給湯用の液体を蓄える貯湯槽１６と、前記貯湯槽内の液体が前記給湯装置を介し循環できる液体配管１８と、前記液体配管に貯湯槽内の液体を流通させるポンプ１７と、前記蒸発器１４の入口に設置された温度検知手段２１と、前記蒸発器１４の出口に設置された温度検知手段２２と、前記ポンプの回転数を制御するマイクロコンピュータ３０を備えている。
【００１１】
図２は従来の運転制御の構成図であり、蒸発器１４の出口に設置された温度検知手段２２を用いて、除霜運転開始条件計算３１を行い、除霜運転開始判定３２により除霜運転３４を行う運転制御を有している。
【００１２】
次に本実施例の作用を説明する。図３は、図１の構成により蒸発器１４の入口に設置された温度検知手段２３を用いて、除霜運転開始条件計算３１を行い、除霜運転開始判定３２により除霜運転３４を開始する制御を有していることで、加熱能力の低下を検知する精度を向上させ、霜の成長による機能不全を防止することができる。したがって、湯切れなどヒートポンプ給湯装置としての機能をそこなうことなく運転を継続することが可能となる。
【００１３】
（実施の形態２）
実施の形態1での判定方法により開始した除霜運転開始後、蒸発器の出口に設置された温度検知手段を用いて除霜運転の終了条件を判定し、除霜運転を終了することにより、着霜状態を検知する精度を向上させ、機能回復を円滑に行うことが可能となる。したがって、除霜運転終了後の湯切れなどヒートポンプ給湯装置としても機能を損なうことなく運転を継続することが可能となる。
【図面の簡単な説明】
【００１４】
【図１】本発明の実施の形態１システムの構成ブロック図
【図２】本発明の実施の形態１におけるアルゴリズムのフローチャート
【図３】従来のアルゴリズムのフローチャート
【符号の説明】
【００１５】
１１  インバータ式圧縮機
１２  給湯熱交換器
１３  減圧装置（電気式膨張弁）
１４  蒸発器
１５  冷媒配管
１６  貯湯槽
１７  ポンプ（ウォータポンプ）
１８  液体配管
１９  ファン
２０  ファンモータ
２１  蒸発器入口温度センサ
２２  蒸発器出口温度センサ
３０  マイクロコンピュータ
３１  蒸発器出口温度検知手段を用いた演算手段
３２  除霜運転開始判定
３３  通常運転
３４  除霜運転
３５  蒸発器出口温度検知手段を用いた演算手段
３６  除霜運転終了判定
３７  蒸発器入口温度検知手段を用いた演算手段
【図１】
2007057148.tif 000003
【図２】
2007057148.tif 000004
【図３】
2007057148.tif 000005
(57)【要約】【課題】個人の思い入れのある、カラー写真等の鮮明な画質を損なわずに、ライターと一体化させ、愛着がもて見て楽しめるライターを提供する。【解決手段】本体表面に凹をつくり、その回りに一周溝を掘る。写真、又はシール化したものを凹に貼り付け、エポキシ樹脂を流し、溝の内周にかかる表面張力で盛り上げ、硬化させ、一体化させる。【選択図】図１
2007057217.tif 000002
【特許請求の範囲】
【請求項１】
本体表面に凹を堀り、その中にＵＶカットをしたフィルムを貼った写真（画像）を入れ固定、又は、シール化して貼り付け、凹の外側に一周細い溝を掘り、凹にエポキシ樹脂を流し込み、溝の内周に接する点にかかるエポキシ樹脂の表面張力を利用して、なだらかに盛り上げ硬化させ、写真（画像）と一体化させたライター及びライターケース。
【発明の詳細な説明】
【技術分野】
【０００１】本発明は、ライターと個人の好きな写真（画像）や、絵画、デザイン、イラスト等を、より美しく一体化させることにより、オリジナリティーがあり、より愛着がもて、見て楽しむことができるライターを作る方法として、好適なものである。
【背景技術】
【０００２】従来は、写真（画像）や絵画、デザイン、イラストなどから、版をつくり、印刷、エッチング（腐食）、機械彫刻、レーザー彫刻などで表現していたが、カラー写真のように綺麗な発色の画像で、一体化した表現のされたものはなかった。
【発明の開示】
【発明が解決しようとする課題】
【０００３】写真（画像）そのものを、ライター及びライターケースと一体化させ、見て楽しめ、愛着のもてるライターを提供する。【０００４】ライター及び、ライターケースの表面に凹を掘り、写真（画像）を入れ、固定してエポキシ樹脂を盛り一体化させるが、エポキシ樹脂が硬化するまでに、流れてしまう。また写真（画像）に直接、エポキシ樹脂がかかると変色してしまう。
【課題を解決するための手段】
【０００５】図１のように、掘り下げた部分の外側に一周溝を掘り、溝の内周の際にかかるエポキシ樹脂の表面張力を利用して、流れるのを防ぐ。【０００６】写真（画像）にフィルムを貼り、エポキシ樹脂が直接かかることを防ぐ。
【発明の効果】
【０００７】写真（画像）そのものを、入れるので鮮明で発色がよい。【０００８】思い入れのある写真（画像）を入れるので、ライターに愛着がもて、見て楽しむことができる。【０００９】写真（画像）に貼るフィルムにＵＶカットを施してあるので、日光による変色も防げる。【００１０】透明なエポキシ樹脂が、盛ってあるので、凸レンズのようになり、内部の写真（画像）をより美しく見せることができ、キズがつくことも防ぐことができる。【００１１】個人の好きな写真（画像）を入れるので、オリジナルライターとなり、個性を表現することができる。【００１２】凹の外周に溝を掘ることにより、エポキシ樹脂の表面張力を利用して、流出を防ぎ、綺麗にエポキシ盛ができる。
【図面の簡単な説明】
【００１３】
【図１】本発明の実施形態を示すライター及びライターケースの正面図
【図２】同ライターの内部機構を省略したＡ−Ａ線断面拡大図
【図３】同ライターに実際に写真が入った状態の断面図拡大図
【符号の説明】
【００１４】１  ライター及びライターケース本体
２  凹の外側を一周する溝
３  溝の内周の際
４  写真を入れる為の凹
５  エポキシ樹脂
６  省略された内部機構
７  写真
８  ＵＶカットフィルム
【図１】
2007057217.tif 000003
【図２】
2007057217.tif 000004
【図３】
2007057217.tif 000005